(57)【要約】【課題】印刷面に対する印刷内容とメモリ媒体に対する記録内容とを取り違えることを防止できる個人認証用通帳類発行装置を提供する。【解決手段】ＩＣチップを備えた個人認証用通帳類を発行する際、同一装置内で印刷面への印刷とＩＣチップへの記録を行なうもので、その場合、印刷面に対する印刷処理に引き続いてＩＣチップに対する記録処理を実施する。【選択図】      図４
2005329647.tif 000002
【特許請求の範囲】
【請求項１】
人物の個人情報を取得する個人情報取得手段と、
前記人物の顔画像を取得する画像取得手段と、
あらかじめ固有の識別情報が記憶されているメモリ媒体および印刷面を備えた個人認証用通帳類の前記メモリ媒体から前記識別情報を読取る識別情報読取手段と、
前記個人情報取得手段により取得された個人情報、当該個人情報に対応する前記画像取得手段により取得された顔画像および前記識別情報読取手段により読取られた識別情報に基づき電子署名を作成する電子署名作成手段と、
この電子署名作成手段による電子署名の作成処理と平行して行なわれ、前記個人情報取得手段により取得された個人情報および当該個人情報に対応する前記画像取得手段により取得された顔画像および前記識別情報読取手段により読取られた識別情報を前記通帳類の印刷面に印刷する印刷手段と、
この印刷手段による通帳類の印刷面に対する印刷処理に引き続いて行なわれ、前記個人情報取得手段により取得された個人情報、当該個人情報に対応する前記画像取得手段により取得された顔画像および前記電子署名作成手段により作成された電子署名を前記通帳類が備えたメモリ媒体に記録する記録手段と、
を具備したことを特徴とする個人認証用通帳類発行装置。
【請求項２】
人物の個人情報を取得する個人情報取得手段と、
前記人物の顔画像を取得する画像取得手段と、
あらかじめ固有の識別情報が記憶されているメモリ媒体および印刷面を備えた個人認証用通帳類の前記メモリ媒体から前記識別情報を読取る識別情報読取手段と、
前記個人情報取得手段により取得された個人情報、当該個人情報に対応する前記画像取得手段により取得された顔画像および前記識別情報読取手段により読取られた識別情報に基づき電子署名を作成する電子署名作成手段と、
この電子署名作成手段による電子署名の作成処理に引き続いて行なわれ、前記個人情報取得手段により取得された個人情報、当該個人情報に対応する前記画像取得手段により取得された顔画像および前記電子署名作成手段により作成された電子署名を前記通帳類が備えたメモリ媒体に記録する記録手段と、
この記録手段によるメモリ媒体に対する記録処理に引き続いて行なわれ、前記個人情報取得手段により取得された個人情報および当該個人情報に対応する前記画像取得手段により取得された顔画像および前記識別情報読取手段により読取られた識別情報を前記通帳類の印刷面に印刷する印刷手段と、
を具備したことを特徴とする個人認証用通帳類発行装置。
【請求項３】
情報入力部、通帳類印刷部、情報記録部、および、これらを互いに通信可能に接続する通信路を有して構成され、
前記情報入力部は、
人物の個人情報を取得する個人情報取得手段と、
前記人物の顔画像を取得する画像取得手段と、
前記個人情報取得手段により取得された個人情報および当該個人情報に対応する前記画像取得手段により取得された顔画像を対応させて登録する登録手段とを具備し、
前記通帳類印刷部は、
あらかじめ固有の識別情報が記憶されているメモリ媒体および印刷面を備えた個人認証用通帳類の前記メモリ媒体から前記識別情報を読取る第１の識別情報読取手段と、
前記登録手段から所望の個人情報および顔画像を取得する登録情報取得手段と、
この登録情報取得手段により取得された個人情報および顔画像および前記第１の識別情報読取手段により読取られた識別情報を前記通帳類の印刷面に印刷する印刷手段と、
この印刷手段により印刷された個人情報および顔画像を印刷履歴として前記第１の識別情報読取手段により読取られた識別情報と対応させて記録する印刷履歴記録手段とを具備し、
前記情報記録部は、
前記印刷手段により個人情報および顔画像を印刷された前記通帳類のメモリ媒体から前記識別情報を読取る第２の識別情報読取手段と、
この第２の識別情報読取手段により読取られた識別情報に対応する個人情報および顔画像を前記印刷履歴記録手段から取得する履歴情報取得手段と、
この履歴情報取得手段により取得された個人情報および顔画像および前記第２の識別情報読取手段により読取られた識別情報に基づき電子署名を作成する電子署名作成手段と、
前記履歴情報取得手段により取得された個人情報および顔画像および前記電子署名作成手段により作成された電子署名を前記通帳類が備えたメモリ媒体に記録する記録手段とを具備したことを特徴とする個人認証用通帳類発行装置。
【請求項４】
情報入力部、情報記録部、通帳類印刷部、および、これらを互いに通信可能に接続する通信路を有して構成され、
前記情報入力部は、
人物の個人情報を取得する個人情報取得手段と、
前記人物の顔画像を取得する画像取得手段と、
前記個人情報取得手段により取得された個人情報および当該個人情報に対応する前記画像取得手段により取得された顔画像を対応させて登録する登録手段とを具備し、
前記情報記録部は、
あらかじめ固有の識別情報が記憶されているメモリ媒体および印刷面を備えた個人認証用通帳類の前記メモリ媒体から前記識別情報を読取る第１の識別情報読取手段と、
前記登録手段から所望の個人情報および顔画像を取得する登録情報取得手段と、
この登録情報取得手段により取得された個人情報および顔画像および前記第１の識別情報読取手段により読取られた識別情報に基づき電子署名を作成する電子署名作成手段と、
前記登録情報取得手段により取得された個人情報および顔画像および前記電子署名作成手段により作成された電子署名を前記通帳類が備えたメモリ媒体に記録する記録手段と、
この記録手段により記録された個人情報および顔画像を記録履歴として前記第１の識別情報読取手段により読取られた識別情報と対応させて記録する記録履歴記録手段とを具備し、
前記通帳類印刷部は、
前記記録手段により個人情報および顔画像および電子署名を記録された前記通帳類のメモリ媒体から前記識別情報を読取る第２の識別情報読取手段と、
この第２の識別情報読取手段により読取られた識別情報に対応する個人情報および顔画像を前記記録履歴記録手段から取得する履歴情報取得手段と、
この履歴情報取得手段により取得された個人情報および顔画像および前記第２の識別情報読取手段により読取られた識別情報を前記通帳類の印刷面に印刷する印刷手段とを具備したことを特徴とする個人認証用通帳類発行装置。
【発明の詳細な説明】
【技術分野】
【０００１】
本発明は、たとえば、冊子型やカード型の各種免許証あるいは各種個人認証用媒体などの顔画像付きの個人認証用通帳類を発行する個人認証用通帳類発行装置に関する。
【背景技術】
【０００２】
たとえば、冊子型やカード型の各種免許証あるいは各種個人認証用媒体のように、所有者の顔画像や人定事項（個人情報）を印刷面に印刷する個人認証用媒体として個人認証用通帳類がある。それらの個人認証用通帳類では、偽変造対策と本人確認の迅速化のため、個人認証用通帳類にメモリ媒体（ＩＣチップ）を内蔵させ、そのメモリ媒体に所定の情報を記録することが計画されている。また、メモリ媒体に情報として記録された顔画像を使用して本人確認を機械化して省力化を推進しようとの計画もある。  
メモリ媒体に情報を記録する際には、印刷面への顔画像や個人情報の印刷時に実施する場合と、印刷面への印刷とは別に実施する場合が想定される。
【特許文献１】特開２００２−２１５４号公報
【特許文献２】特開２００３−９４７０１号公報
【発明の開示】
【発明が解決しようとする課題】
【０００３】
上述したように、メモリ媒体に情報を記録する際には、印刷面への顔画像や個人情報の印刷時に実施する場合と、印刷面への印刷とは別に実施する場合が想定されるが、その場合には以下のような問題点がある。  
印刷面へ印刷する情報とメモリ媒体へ記録する情報とは同一人物の情報でなければならないが、システムの不備等で別人物の情報をメモリ媒体に記録することが懸念される。個人認証用通帳類で本人確認を行なう際に、メモリ媒体内の情報が別人物のものであった場合は、偽変造と間違われ、所持人は大変な不利益を被ることが想定される。
【０００４】
個人認証用通帳類の所持者はメモリ媒体への記録内容を表示する手段を所有する訳ではないため、事前に内容を確認することが難しい。個人認証用通帳類の発行時に内容確認が実施されるはずだが、チェックできない可能性も否定できない。  
特に、印刷面への印刷とは別の機器を用いてメモリ媒体へ情報を記録する場合には、操作員のミスで誤った内容を記録する可能性が非常に高くなる。
【０００５】
そこで、本発明は、印刷面に対する印刷内容とメモリ媒体に対する記録内容とを取り違えることを防止できる個人認証用通帳類発行装置を提供することを目的とする。
【課題を解決するための手段】
【０００６】
本発明の個人認証用通帳類発行装置は、人物の個人情報を取得する個人情報取得手段と、前記人物の顔画像を取得する画像取得手段と、あらかじめ固有の識別情報が記憶されているメモリ媒体および印刷面を備えた個人認証用通帳類の前記メモリ媒体から前記識別情報を読取る識別情報読取手段と、前記個人情報取得手段により取得された個人情報、当該個人情報に対応する前記画像取得手段により取得された顔画像および前記識別情報読取手段により読取られた識別情報に基づき電子署名を作成する電子署名作成手段と、この電子署名作成手段による電子署名の作成処理と平行して行なわれ、前記個人情報取得手段により取得された個人情報および当該個人情報に対応する前記画像取得手段により取得された顔画像および前記識別情報読取手段により読取られた識別情報を前記通帳類の印刷面に印刷する印刷手段と、この印刷手段による通帳類の印刷面に対する印刷処理に引き続いて行なわれ、前記個人情報取得手段により取得された個人情報、当該個人情報に対応する前記画像取得手段により取得された顔画像および前記電子署名作成手段により作成された電子署名を前記通帳類が備えたメモリ媒体に記録する記録手段とを具備している。
【発明の効果】
【０００７】
本発明によれば、印刷面に対する印刷内容とメモリ媒体に対する記録内容とを取り違えることを防止できる個人認証用通帳類発行装置を提供できる。
【発明を実施するための最良の形態】
【０００８】
以下、本発明の実施の形態について図面を参照して説明する。  
図１は、本実施の形態に係る個人認証用通帳類発行装置の構成を概略的に示すものである。この個人認証用通帳類発行装置は、たとえば、冊子型の免許証などの顔画像付き個人認証用通帳類を発行するもので、発行サーバ１１、認証サーバ１２、ルータ１３、入力端末装置１４，１５、および、作成端末装置１６，１７、および、記録端末装置１８を有して構成されていて、これらの各機器はＬＡＮなどの通信回線（通信路）１９で接続され、互いに通信することができるようになっている。
【０００９】
発行サーバ１１は、個人認証用通帳類の発行情報、履歴情報、審査内容などを記録するコンピュータである。  
認証サーバ１２は、作成端末装置１６，１７や記録端末装置１８から送信されるデータを基に電子署名を作成して返送するコンピュータである。なお、認証サーバ１２は、ルータ１３経由で接続されるＷＡＮ上に設置することも可能である。
【００１０】
ルータ１３は、回線網２０と接続するネットワーク機器であり、外部から電子署名の確認や、発行サーバ１１上の発行履歴情報の参照を受付けることができる。
【００１１】
入力端末装置１４は、申請者の顔写真や署名画像の読取り、発行情報（個人情報など）の入力（取得）などを行なうもので、読取用のスキャナ２１を備えている。入力端末装置１５は、申請者の顔画像を直接入力したり、発行情報（個人情報など）の入力（取得）などを行なうもので、申請者の顔画像を撮影するための電子カメラ２２を備えている。ここに、入力端末装置１４とスキャナ２１、入力端末装置１５と電子カメラ２２は、それぞれ情報入力部を構成している。
【００１２】
作成端末装置１６，１７は、個人認証用通帳類の印刷およびメモリチップに対する読取りや記録を行なうものであり、印刷機２３，２４を備えている。印刷機２３，２４は、それぞれＩＣリーダライタ２５，２６を内蔵している。ここに、作成端末装置１６と印刷機２３（ＩＣリーダライタ２５）、作成端末装置１７と印刷機２４（ＩＣリーダライタ２６）は、それぞれ通帳類作成部を構成している。
【００１３】
記録端末装置１８は、個人認証用通帳類のメモリチップに対する読取りや記録を行なうものであり、ＩＣリーダライタ２７を備えている。ここに、記録端末装置１８とＩＣリーダライタ２７は情報記録部を構成している。
【００１４】
図２（ａ）は、本実施の形態に係る個人認証用通帳類の一例を示すものである。本実施の形態に係る個人認証用通帳類３１は、たとえば、銀行の預金通帳のような通帳状の形態をしたもので、２つの表紙３２，３３の間に複数枚の中紙３４を綴じて構成されている。そして、たとえば、一方の表紙３２内には、メモリ媒体としてのＩＣチップ３５が埋設されている。ＩＣチップ３５には、あらかじめ固有の識別情報としてのＩＤ番号が記憶されているものとする。
【００１５】
なお、ＩＣチップ３５は、ＩＣリーダライタ２５，２６，２７との間で無線で通信を行なう非接触式であっても、あるいは、ＩＣリーダライタ２５，２６，２７との間でコンタクト部を介して通信を行なう接触式であってもよい。また、ＩＣチップ３５は、中紙３４中に埋設されていてもよい。
【００１６】
また、たとえば、他方の表紙３３の内側は印刷面３６となっていて、この印刷面３６には、図２（ｂ）に示すように、所有者の顔画像（顔写真）３７、ＩＤ番号、氏名、生年月日、性別、住所、発行年月日、有効期限、署名などの券面情報３８がそれぞれ印刷される。なお、券面情報３８の内容は個人認証用通帳類の種類によって異なる。また、必要に応じて、カラー印刷や両面印刷を実施することもできる。
【００１７】
図３は、個人認証用通帳類３１に内蔵されたＩＣチップ３５の記録情報例を示すものである。ＩＣチップ３５は、大きく別けて、当該個人認証用通帳類３１の製造者が記録する製造者記録領域３５ａおよび当該個人認証用通帳類３１の発行者が記録する発行者記録領域３５ｂを有していて、製造者記録領域３５ａには固有の識別情報としてのＩＤ番号が記録（記憶）されている。ＩＤ番号は、当該個人認証用通帳類３１の製造番号にあたり、通常はシリアルでユニークな番号が付与される。
【００１８】
発行者記録領域３５ｂには、たとえば、氏名、生年月日、性別、住所、受理番号、発行年月日、有効期限、顔画像、申請者署名画像、電子署名、公開鍵証明書などの発行者情報が記録（記憶）される。氏名、生年月日、性別、住所は当該個人認証用通帳類３１の発行申請者（所持者）の個人情報である。受理番号は、当該個人認証用通帳類３１の申請受付、審査、発行までの間に使用されるユニークな管理情報である。発行年月日は、当該個人認証用通帳類３１を発行した日である。有効期限は、当該個人認証用通帳類３１が有効な年月日であり、通常は発行年月日から３年、５年あるいは１０年といった有期限である。  
顔画像は、当該個人認証用通帳類３１の印刷面３６に印刷した内容と同一人物の顔画像（同じ顔画像でなくてもよい）を記録する。申請者署名画像は、当該個人認証用通帳類３１の印刷面３６に印刷した内容と同一の画像を記録する。  
電子署名は、情報の正当性や完全性を保証するための情報で、印刷面３６に印刷する券面情報および顔画像の圧縮情報（ハッシュ情報）と秘密鍵とで作成される。電子署名を作成する際には、製造者が記録したＩＤ番号を含めて作成することにより、他の個人認証用通帳類の記録内容をそのまま複製するような偽造を防止することができる。  
公開鍵証明書は、電子署名を作成した際に使用した秘密鍵とペアになる公開鍵に対する証明書である。なお、公開鍵証明書はＩＣチップ３５内に記録せず、検査時に別途オンライン等で入手することも可能である。
【００１９】
図４は、個人認証用通帳類の発行に必要な情報を入力し審査する際の処理の流れを示すフローチャートであり、以下、このフローチャートを参照して処理の流れを説明する。
【００２０】
まず、入力端末装置１４または１５の表示画面上から、図示しないキーボードを用いて発行に必要な個人情報等を入力する（ステップＳ１）。本実施の形態では、たとえば、受理番号、および、氏名、生年月日、性別、住所、発行年月日、有効期限などの発行情報であり、これらを入力する。ここに、このステップＳ１の処理が本発明における個人情報取得手段に対応している。
【００２１】
次に、入力端末装置１４または１５において、申請者の顔画像を取得する（ステップＳ２）。すなわち、カメラ２２を用いる場合には、申請者の顔画像をその場で撮影し、デジタル画像情報として入力する。あるいは、申請者があらかじめ用意した申請書に顔写真が貼付されている場合、これをスキャナ２１にセットすることにより、申請者の顔写真を読取り入力する。ここに、このステップＳ２の処理が本発明における画像取得手段に対応している。
【００２２】
次に、申請書をスキャナ２１にセットすることにより、申請者の署名画像を読取り入力する（ステップＳ３）。  
これら入力された画像は入力端末装置１４（１５）の表示画面に表示され、正しく取得できていることを確認できるようになっている。
【００２３】
次に、ステップＳ１で入力された個人情報に基づき、発行サーバ１１内の審査リストを用いて審査リストチェック（ブラックリストチェック）を行なうとともに、発行サーバ１１内の発行履歴データベースを検索することにより、２重申請チェックを実施する（ステップＳ４，Ｓ５）。ここでチェックに該当した場合は、人間系審査で扱いを検討する（ステップＳ６）。
【００２４】
次に、ステップＳ４，Ｓ５において各チェック項目に該当しない場合は、先に取得した当該申請者の発行情報、顔画像、署名画像などをステップＳ１で取得した受理番号と対応させて発行サーバ１１へ登録（記録）する（ステップＳ７）。ここに、このステップＳ７の処理が本発明における登録手段に対応している。
【００２５】
図５は、作成端末装置１６（１７）で券面情報の印刷とＩＣチップの記録を行なう場合の個人認証用通帳類の発行の処理の流れを示すフローチャートであり、以下、このフローチャートを参照して処理の流れを説明する。ここでは、作成端末装置１６で行なう場合について説明する。
【００２６】
まず、ＩＣリーダライタ２５に生（未発行状態）の個人認証用通帳類３１をセットすることにより、ＩＣチップ３５から製造者が記録したＩＤ番号を読取る（ステップＳ１１）。ここに、このステップＳ１１の処理が本発明における識別情報読取手段に対応している。
【００２７】
次に、先に取得した（ステップＳ１で取得した）受理番号をキーにして、発行サーバ１１から対応する受理番号を有する発行情報、顔画像、署名画像を読出す（ステップＳ１２）。ここに、このステップＳ１２の処理が本発明における登録情報取得手段に対応している。
【００２８】
次に、ＩＣチップ３５から取得したＩＤ番号、および、発行サーバ１１から取得した発行情報、顔画像、署名画像のハッシュ情報を認証サーバ１２へ送信することにより、秘密鍵で電子署名を作成する（ステップＳ１３）。また、必要であれば公開鍵証明書を取得する。ここに、このステップＳ１３の処理が本発明における電子署名作成手段に対応している。
【００２９】
また、ステップＳ１３の電子署名作成処理と平行して、印刷機２３により、ＩＣチップ３５から取得したＩＤ番号、および、発行サーバ１１から取得した発行情報、顔画像、署名画像に基づき個人認証用通帳類３１の印刷面３６に対し印刷を行なう（ステップＳ１４）。ここに、このステップＳ１４の処理が本発明における印刷手段に対応している。
【００３０】
次に、印刷面３６に対する印刷が正常に終了すると、ＩＣリーダライタ２５により、印刷面３６に印刷した情報と同一の情報（ＩＤ番号、発行情報、顔画像、署名画像、公開鍵証明書など）を電子データとしてＩＣチップ３５へ記録する（ステップＳ１５）。このとき、ＩＣチップ３５からいま記録した内容を読出して、ベリファイチェックすることで、正しく記録できたことを確認する。ここに、このステップＳ１５の処理が本発明における記録手段に対応している。
【００３１】
最後に、このときのＩＤ番号、発行情報、顔画像、署名画像、公開鍵証明書などを発行履歴情報として発行サーバ１１に記録し（ステップＳ１６）、発行処理を終了する。ここに、このステップＳ１６の処理が本発明における履歴記録手段に対応している。  
以上の処理により、たとえば、図３に示したような個人認証用通帳類３１が発行される。
【００３２】
上記の処理手順により、作成端末装置１６で印刷面３６に対する印刷とＩＣチップ３５に対する記録の両方を実施することにより、印刷面３６に対する印刷内容とＩＣチップ３５に対する記録内容とを取り違えることを防止できる。
【００３３】
図６は、作成端末装置１６（１７）で券面情報の印刷を行ない、記録端末装置１８でＩＣチップの記録を行なう場合の個人認証用通帳類の発行の処理の流れを示すフローチャートであり、以下、このフローチャートを参照して処理の流れを説明する。ここでは、作成端末装置１６で印刷を行なう場合について説明する。  まず、作成端末装置１６で券面情報の印刷を行なう。すなわち、ＩＣリーダライタ２５に生（未発行状態）の個人認証用通帳類３１をセットすることにより、ＩＣチップ３５から製造者が記録したＩＤ番号を読取る（ステップＳ２１）。ここに、このステップＳ２１の処理が本発明における第１の識別情報読取手段に対応している。
【００３４】
次に、先に取得した（ステップＳ１で取得した）受理番号をキーにして、発行サーバ１１から対応する受理番号を有する発行情報、顔画像、署名画像を読出す（ステップＳ２２）。ここに、このステップＳ２２の処理が本発明における登録情報取得手段に対応している。
【００３５】
次に、印刷機２３により、ＩＣチップ３５から取得したＩＤ番号、および、発行サーバ１１から取得した発行情報、顔画像、署名画像に基づき個人認証用通帳類３１の印刷面３６に対し印刷を行なう（ステップＳ２３）。ここに、このステップＳ２３の処理が本発明における印刷手段に対応している。
【００３６】
最後に、このときの印刷情報（ＩＤ番号、発行情報、顔画像、署名画像など）を印刷履歴情報として発行サーバ１１に記録し（ステップＳ２４）、印刷処理を終了する。ここに、このステップＳ２４の処理が本発明における印刷履歴記録手段に対応している。
【００３７】
次に、記録端末装置１８でＩＣチップの記録を行なう。すなわち、作成端末装置１６で印刷を行なった個人認証用通帳類３１をＩＣリーダライタ２７にセットすることにより、ＩＣチップ３５から製造者が記録したＩＤ番号を読取る（ステップＳ３１）。ここに、このステップＳ３１の処理が本発明における第２の識別情報読取手段に対応している。
【００３８】
次に、ステップＳ３１で取得したＩＤ番号をキーにして、発行サーバ１１内の印刷履歴情報から対応するＩＤ番号を有する発行情報、顔画像、署名画像を読出す（ステップＳ３２）。ここに、このステップＳ３２の処理が本発明における履歴情報取得手段に対応している。
【００３９】
次に、ＩＣチップ３５から取得したＩＤ番号、および、発行サーバ１１から取得した発行情報、顔画像、署名画像のハッシュ情報を認証サーバ１２へ送信することにより、秘密鍵で電子署名を作成する（ステップＳ３３）。また、必要であれば公開鍵証明書を取得する。ここに、このステップＳ３３の処理が本発明における電子署名作成手段に対応している。
【００４０】
次に、ＩＣリーダライタ２７により、印刷面３６に印刷した情報と同一の情報、すなわち、ＩＣチップ３５から取得したＩＤ番号、および、発行サーバ１１から取得した発行情報、顔画像、署名画像、公開鍵証明書などを電子データとしてＩＣチップ３５へ記録する（ステップＳ３４）。このとき、ＩＣチップ３５からいま記録した内容を読出して、ベリファイチェックすることで、正しく記録できたことを確認する。ここに、このステップＳ３４の処理が本発明における記録手段に対応している。
【００４１】
最後に、このときのＩＤ番号、発行情報、顔画像、署名画像、公開鍵証明書などを記録履歴情報として発行サーバ１１に記録し（ステップＳ３５）、記録処理を終了する。ここに、このステップＳ３５の処理が本発明における記録履歴記録手段に対応している。  
以上の処理により、たとえば、図３に示したような個人認証用通帳類３１が発行される。
【００４２】
上記の処理手順により、まず作成端末装置１６で印刷内容とＩＤ番号との関連付けを行なう。次に、記録端末装置１８でＩＣチップ３５内のＩＤ番号を読取り、そのＩＤ番号に対応する情報を確実にＩＣチップ３５へ記録することができる。これにより、印刷面３６に対する印刷内容とＩＣチップ３５に対する記録内容とを取り違えることを防止できる。
【００４３】
以上説明したように上記実施の形態によれば、作成端末装置内で印刷面への印刷とＩＣチップへの記録を行なう場合には、印刷面への印刷処理に引き続いてＩＣチップへの記録処理を行なうことにより、印刷面に対する印刷内容とＩＣチップに対する記録内容とを取り違えることを確実に防止できる。
【００４４】
また、印刷面への印刷を行なう装置とは別の装置でＩＣチップへの記録を行なう場合には、ＩＣチップから読取ったＩＤ番号に対応する情報を発行サーバから取得することにより、印刷面に対する印刷内容とＩＣチップに対する記録内容とを取り違えることを確実に防止できる。
【００４５】
したがって、個人認証用通帳類で本人確認をする際、ＩＣチップ内の情報が別人のものであった場合に、偽変造と間違われて、当該個人認証用通帳類の所持者が大変な不利益を被ることを未然に防止することができる。
【００４６】
なお、本発明は前記実施の形態に限定されるものではなく、本発明の主旨を変えない範囲で種々変形が可能である。たとえば、前記実施の形態では、印刷面への印刷処理を先に行ない、その後でＩＣチップへの記録処理を行なった。一般に印刷不良が発生しやすいので、印刷面への印刷処理を先に行なうようにしたものであるが、そのようなことを考慮する必要がない場合は、ＩＣチップへの記録処理を先に行ない、その後に印刷面への印刷処理を行なようにしてもよい。
【００４７】
また、取得した申請者の発行情報、顔画像、署名画像などを受理番号と対応させて発行サーバ１１へ登録（記録）する場合について説明したが、発行サーバ１１ではなく、たとえば、入力端末装置、作成端末装置あるいは記録端末装置に登録（記録）するようにしてもよい。
【００４８】
さらに、個人認証用通帳類が通帳状（冊子型）の形態をしたものであったが、本発明は通帳状のものに限らず、たとえば、ＩＣカードのようなカード状の形態をしたものであってもよい。
【図面の簡単な説明】
【００４９】
【図１】本発明の実施の形態に係る個人認証用通帳類発行装置の構成を概略的に示すブロック図。
【図２】個人認証用通帳類の一例を示すもので、（ａ）図は開いた状態で示す斜視図、（ｂ）図は印刷面の印刷内容を示す図。
【図３】個人認証用通帳類に内蔵されたＩＣチップの記録情報例を示す図。
【図４】個人認証用通帳類の発行に必要な情報を入力し審査する際の処理の流れを示すフローチャート。
【図５】作成端末装置で券面情報の印刷とＩＣチップの記録を行なう場合の個人認証用通帳類の発行の処理の流れを示すフローチャート。
【図６】作成端末装置で券面情報の印刷を行ない、記録端末装置でＩＣチップの記録を行なう場合の個人認証用通帳類の発行の処理の流れを示すもので、（ａ）図は作成端末装置で券面情報の印刷を行なう場合の処理の流れを示すフローチャート、（ｂ）図は記録端末装置でＩＣチップの記録を行なう場合の処理の流れを示すフローチャート。
【符号の説明】
【００５０】
１１…発行サーバ、１２…認証サーバ、１４，１５…入力端末装置、１６，１７…作成端末装置、１８…記録端末装置、１９…通信回線（通信路）、２１…スキャナ、２２…電子カメラ、２３，２４…印刷機、２５，２６，２７…ＩＣリーダライタ、３１…個人認証用通帳類、３２，３３…表紙、３４…中紙、３５…ＩＣチップ（メモリ媒体）、３６…印刷面、３７…顔画像（顔写真）、３８…券面情報。
【図１】
2005329647.tif 000003
【図２】
2005329647.tif 000004
【図３】
2005329647.tif 000005
【図４】
2005329647.tif 000006
【図５】
2005329647.tif 000007
【図６】
2005329647.tif 000008